(57)【特許請求の範囲】
【請求項１】
取付枠に対してスライド可能なスライドバーからの展出と収納が自在とされた一対のスライドガイド枠間に回転可能なローラーパイプが配置され、ローラーパイプは、スライドバーのスライド方向にスライド可能であり、ローラーパイプには２枚のスクリーンの一端部が固定され、スクリーンのローラーパイプの周りへの巻取りと引出しが可能とされ、ローラーパイプはコイルバネを内蔵し、スライドバーをスライドさせてスクリーンを引き出す際に、ローラーパイプは回転しながらスライドバーのスライド方向にスライドし、このときコイルバネに弾性復元力が蓄積され、蓄積された弾性復元力の解放により、スクリーンがローラーパイプの周りに巻き取られ、ローラーパイプは取付枠側にスライドし、スライドバーも取付枠側へスライドするスクリーン装置であって、ローラーパイプの固定軸に固定されたコイルバネの固定端からコイルバネの外側に位置する部位のローラーパイプにピン孔がローラーパイプの長さ方向に対して直交する方向に貫通して形成され、ローラーパイプが、ピン孔に差し込まれるピンによって回転不能とされることを特徴とするスクリーン装置。
【請求項２】
スライドバーおよび取付枠は、スクリーン固定部において、スクリーン端部に配設された固定部材が挿入される凹溝を有し、凹溝の固定部材挿入側の両側端縁から凹溝の幅方向内側に突出する係止片が延設され、いずれか一方の係止片は、スライドバーおよび取付枠の長さ方向の一部において凹溝の端縁側に向かって切り欠かれ、切欠部が形成され、切欠部は工具の挿入が可能とされていることを特徴とする請求項１に記載のスクリーン装置。
【請求項３】
スライドバーおよび取付枠が同一形状を有し、ローラーパイプを中心として平面視点対称の配置関係となるようにスライドバーおよび取付枠が配置されていることを特徴とする請求項１または２に記載のスクリーン装置。
【請求項４】
横開き式のスクリーン装置であって、ボトムレールを備え、スライドバーの下端部に配設されたガイドブロックがボトムレールに沿って移動し、スライドバーのスライドがボトムレールによりガイドされ、一対のスライドガイド枠間の端部が８の字状のループを形成する張力部材により結ばれ、張力部材を折り返す折返ブロックがスライドバーの下端部に配設され、ガイドブロックは折返ブロックに嵌着脱自在に配設されていることを特徴とする請求項１ないし３いずれか一項に記載のスクリーン装置。
【請求項５】
スクリーン装置は、取付枠に対向して配置された縦枠を備え、縦枠の戸当り面が一平面から形成され、戸当り面に隣接配置させてマグネットが縦枠の内部に配設され、スライドバーのスライド方向の先端部にもマグネットが配設され、両マグネットは互いに磁力により引き合うことを特徴とする請求項４に記載のスクリーン装置。
【発明の詳細な説明】
【技術分野】
【０００１】
本発明は、カーテン、ブラインドをはじめ、網戸や間仕切などとして用いることのできるスクリーン装置に関する。
【背景技術】
【０００２】
多用途のスクリーン装置について、本出願人は、開閉操作が容易かつスムーズで安定するものを提案している（特許文献１）。
【０００３】
本出願人が提案しているスクリーン装置は、特許第３３２３４６１号公報に記載された、複数の剛性ユニットが連結して形成され、一方向には屈曲可能であるが、他方向には屈曲せず、直線性を保持する一対のスライドガイド枠を備え、このスライドガイド枠がスライド可能なスライドバーからの展出と収納とが自在とされ、スライドガイド枠間にコイルバネを内蔵した回転可能なローラーパイプが配置され、ローラーパイプは、スライドバーのスライド方向にスライド可能とされている。ローラーパイプには２枚のスクリーンの一端部が固定され、スクリーンのローラーパイプの周りへの巻取りと引出しとが可能とされている。
【０００４】
また、上記スクリーン装置では、ローラーパイプはコイルバネを内蔵し、スライドバーをスライドさせてスクリーンを引き出す際に、ローラーパイプは回転しながらスライドバーのスライド方向にスライドし、このときコイルバネに弾性復元力が蓄積され、蓄積された弾性復元力の解放により、スクリーンがローラーパイプの周りに巻き取られ、ローラーパイプは取付枠側にスライドし、スライドバーも取付枠側へスライドする。
【０００５】
上記スクリーン装置は、コイルバネに蓄積された弾性復元力によってスクリーンに適度なテンションが掛かるため、スライドバーの操作感が良好であり、また、弾性復元力の解放によってスクリーンをローラーパイプの周りに自動的に巻き取り、収納することができるので、容易かつスムーズで安定な開閉操作を実現している。
【特許文献１】特開２００５−３５１０４６号公報
【発明の開示】
【発明が解決しようとする課題】
【０００６】
上記の通りの開閉操作性に優れたスクリーン装置には、その後の検討によりいくつかの改善すべき点が見出された。
【０００７】
使用によりスクリーンには汚れが生ずる。汚れは水や洗剤液を用いて拭き掃除することによりある程度まで落とすことができるが、拭き掃除によっても落とすころのできない汚れや破れなどが生じた場合には、スクリーンの交換が必要となる。しかしながら、スクリーンは、ローラーパイプに内蔵されたコイルバネによって常時巻き取られる方向に引っ張られているため、このように引っ張られた状態にあるスクリーンをスクリーン装置から取り外すことは難しかった。
【０００８】
その理由として、第一には、スクリーンを取り外す際にスクリーンを引き出し、広げた状態に保持する必要があるが、そのためにはコイルバネの弾性復元力に抗する力を付与し続けなければならず、スクリーンを広げた状態に保持することが難しかった。
【０００９】
第二に、スクリーンを取り外すことができたとしても、スクリーンを取り外した後には、コイルバネにあらかじめ蓄積しておいた弾性復元力までも解放されてしまうので、スクリーンの交換後に解放された分の弾性復元力をコイルバネにねじり回転により蓄積させる必要があり、弾性復元力の蓄積はかなり手間の掛かる作業であり、作業中に不意に弾性復元力が急激に解放してしまうこともあり、非常に危険をともなうという問題もある。
【００１０】
このように、スクリーン装置にはメンテナンス性の面で改善すべき点がある。
【００１１】
本発明は、以上の通りの事情に鑑みてなされたものであり、スクリーンの交換が容易であり、スクリーン装置自体を取り外すことなくスクリーンの交換が可能なメンテナンス性に優れたスクリーン装置を提供することを課題としている。
【課題を解決するための手段】
【００１２】
本発明は、上記の課題を解決するために、以下のことを特徴としている。
【００１３】
第１の発明は、取付枠に対してスライド可能なスライドバーからの展出と収納が自在とされた一対のスライドガイド枠間に回転可能なローラーパイプが配置され、ローラーパイプは、スライドバーのスライド方向にスライド可能であり、ローラーパイプには２枚のスクリーンの一端部が固定され、スクリーンのローラーパイプの周りへの巻取りと引出しが可能とされ、ローラーパイプはコイルバネを内蔵し、スライドバーをスライドさせてスクリーンを引き出す際に、ローラーパイプは回転しながらスライドバーのスライド方向にスライドし、このときコイルバネに弾性復元力が蓄積され、蓄積された弾性復元力の解放により、スクリーンがローラーパイプの周りに巻き取られ、ローラーパイプは取付枠側にスライドし、スライドバーも取付枠側へスライドするスクリーン装置であって、ローラーパイプの固定軸に固定されたコイルバネの固定端からコイルバネの外側に位置する部位のローラーパイプにピン孔がローラーパイプの長さ方向に対して直交する方向に貫通して形成され、ローラーパイプが、ピン孔に差し込まれるピンによって回転不能とされることを特徴としている。
【００１４】
第２の発明は、上記第１の発明において、スライドバーおよび取付枠は、スクリーン固定部において、スクリーン端部に配設された固定部材が挿入される凹溝を有し、凹溝の固定部材挿入側の両側端縁から凹溝の幅方向内側に突出する係止片が延設され、いずれか一方の係止片は、スライドバーおよび取付枠の長さ方向の一部において凹溝の端縁側に向かって切り欠かれ、切欠部が形成され、切欠部は工具の挿入が可能とされていることを特徴としている。
【００１５】
第３の発明は、上記第１または第２の発明において、スライドバーおよび取付枠が同一形状を有し、ローラーパイプを中心として平面視点対称の配置関係となるようにスライドバーおよび取付枠が配置されていることを特徴としている。
【００１６】
第４の発明は、上記第１ないし第３のいずれか一つの発明において、横開き式のスクリーン装置であって、ボトムレールを備え、スライドバーの下端部に配設されたガイドブロックがボトムレールに沿って移動し、スライドバーのスライドがボトムレールによりガイドされ、一対のスライドガイド枠間の端部が８の字状のループを形成する張力部材により結ばれ、張力部材を折り返す折返ブロックがスライドバーの下端部に配設され、ガイドブロックは折返ブロックに嵌着脱自在に配設されていることを特徴としている。
【００１７】
第５の発明は、上記第４の発明において、スクリーン装置は、取付枠に対向して配置された縦枠を備え、縦枠の戸当り面が一平面から形成され、戸当り面に隣接配置させてマグネットが縦枠の内部に配設され、スライドバーのスライド方向の先端部にもマグネットが配設され、両マグネットは互いに磁力により引き合うことを特徴としている。
【発明の効果】
【００１８】
上記第１の発明によれば、ローラーパイプの固定軸に固定されたコイルバネの固定端からコイルバネの外側に位置する部位のローラーパイプにピン孔がローラーパイプの長さ方向に対して直交する方向に貫通して形成されているので、ピン孔にピンを差し込むことによりローラーパイプは回転不能とされ、スクリーンを広げた状態に安定に保持することができ、スクリーンの取外しが容易となる。スクリーン装置自体を窓枠開口部などから取り外す必要がなく、取付状態においてスクリーンの取外しを行うことができる。また、スクリーン取外し後にコイルバネに蓄積された弾性復元力が解放されることはなく、スクリーン交換後に行う必要があったコイルバネに弾性復元力を蓄積させる危険な作業が解消される。したがって、スクリーン装置はメンテナンス性に優れたものとなる。
【００１９】
上記第２の発明によれば、スライドバーおよび取付枠のスクリーン固定部において、スクリーン端部に配設された固定部材が挿入される凹溝では、凹溝の固定部材挿入側の両側端縁から凹溝の幅方向内側に突出する係止片が延設され、いずれか一方の係止片が、スライドバーおよび取付枠の長さ方向の一部において凹溝の端縁側に向かって切り欠かれ、切欠部が形成されているので、切欠部にマイナスドライバーなどの工具を挿入することにより、固定部材を凹溝から引き出すことができ、スクリーンの取外しがより容易となる。
【００２０】
上記第３の発明によれば、同一形状を有するスライドバーおよび取付枠が、ローラーパイプを中心として平面視点対称の関係に配置されているので、機能および性能が全く同じな左右勝手を共用したスクリーン装置となり、たとえば、内観色と外観色が異なる場合にも一つの製品で対応可能であり、スクリーン装置の品種を少なくすることができ、製造、在庫管理などが容易となる。
【００２１】
上記第４の発明によれば、ボトムレールを備え、スライドバーの下端部に配設されたガイドブロックがボトムレールに沿って移動し、スライドバーのスライドがボトムレールによりガイドされる横開き式のスクリーン装置において、ガイドブロックが、一対のスライドガイド枠間の端部を結ぶ８の字状のループを形成する張力部材を折り返し、スライドバー下端部に配設された折返ブロックに嵌着脱自在に配設されているので、磨耗が大きいガイドブロックのみを容易に取り外し、交換することができ、メンテナンス性がより向上し、部品コストの低減を図ることができる。
【００２２】
上記第５の発明によれば、取付枠に対向して配置された縦枠の戸当り面が一平面から形成され、戸当り面に隣接配置させてマグネットが縦枠の内部に配設され、スライドバーのスライド方向の先端部にもマグネットが配設され、両マグネットは互いに磁力により引き合うので、縦枠の戸当り面が窓枠開口部などに突出することがなく、見栄えが良好となり、突出せずとも、スライドバー先端部のマグネットと引き合い、スクリーンを広げた状態に保持することができる。また、ボトムレールを縦枠の戸当り面の際にまで隙間なく施工することができ、スライドバーのスライドがより安定化する。
【発明を実施するための最良の形態】
【００２３】
図１は、本発明のスクリーン装置の一実施形態を示した一部切欠正面図である。
【００２４】
図１に示したスクリーン装置１は、横開き式のスクリーン装置であり、取付枠２に対して水平方向にスライド可能なスライドバー３が設けられている。複数の剛性ユニット４の連結によってスライドガイド枠５が形成され、スライドガイド枠５は上下に一対として設けられている。スライドガイド枠５は、一方向への屈曲が可能とされ、多方向には屈曲せず、直線性を保つようになっている。スライドガイド枠５の両端は自由端とされ、スライドバー３と取付枠２との両方から展出および収納可能となっている。すなわち、スライドガイド枠５は、スライドバー３のスライドにともなってスライドバー３および取付枠２から展出し、また、スライドバー３および取付枠２の内部に収納される。展出した状態において、スライドガイド枠５は、それぞれ、スクリーン装置１の上枠、下枠を構成する。
【００２５】
一対のスライドガイド枠５間には、回転可能なローラーパイプ６が配置されている。
【００２６】
図２に示したように、ローラーパイプ６の上端部には固定軸７が配設されている。ローラーパイプ６は、上端部において内筒６ａおよび外筒６ｂの二重構造を有し、内筒６ａは外筒６ｂの内側に同軸上に配置され、内筒６ａに固定軸７が挿入され、ローラーパイプ６は、固定軸７を中心にして左右両方向に回転自在とされている。固定軸７の上端には固定片８が配設されている。固定片８は、左右両端部において、図１に示したスライドガイド枠５を形成する剛性ユニット４の左右両側壁部９の下端部内側に形成された外方に切り欠かれた溝１０内に収められ、固定軸７を回転不能に支持するとともに、固定片８は溝１０に沿ってスライド可能であり、ローラーパイプ６をスライドバー２のスライド方向にスライド可能としている。剛性ユニット４は、図２に示したように、左右両側壁部９が高さ方向の略中央において平板状の架橋部１１によって連結されて形成されている。
【００２７】
ローラーパイプ６は、コイルバネ１２を内蔵し、コイルバネ１２の上端は固定軸７に固定されている。コイルバネ１２はあらかじめねじり回転され、弾性復元力がある程度蓄積されている。図１に示したように、ローラーパイプ６には２枚の網状のスクリーン１３の一端部が固定されている。各スクリーン１３の他端部は、スライドバー３、取付枠２のそれぞれに固定され、スクリーン１３はローラーパイプ６の周りに巻き取られるようになっている。コイルバネ１２にあらかじめ蓄積された弾性復元力によってスクリーン１３は常時ローラーパイプ６の周りに巻き取られるように引っ張られている。スクリーン装置１の閉時に、コイルバネ１２の弾性復元力に抗し、スライドバー３を水平方向にスライドさせると、ローラーパイプ６が回転し、スクリーン１３がローラーパイプ６から引き出される。同時に、スライドガイド枠５がスライドバー３および取付枠２から展出する。また、スライドバー３のスライドにともなってローラーパイプ６はスライドガイド枠５の展出方向にスライドする。このとき、ローラーパイプ６に内蔵されたコイルバネ１２に弾性復元力がさらに蓄積される。スクリーン１３は、ピンと張った状態で窓枠開口部などに展開し、風に揺らいだり、接触によって撓んだりすることはない。
【００２８】
スクリーン装置１の開時にはコイルバネ１２に蓄積された弾性復元力を解放させる。すると、ローラーパイプ６は逆回転し、周りにスクリーン１３を巻き取りながら取付枠２側にスライドする。このとき、スクリーン１３が固定されたスライドバー３も取付枠２側にスライドし、スライドガイド枠５は、スライドバー３および取付枠２の内部に収納される。
【００２９】
また、図１に示したスクリーン装置１では、図２に示したように、ローラーパイプ６の上端部において、固定軸７に固定されたコイルバネ１２の固定端から上側に、ローラーパイプ６の長さ方向に対して直交する横方向に貫通するピン孔１４が形成されている。ピン孔１４は、ローラーパイプ６の上端部において外筒６ｂおよび内筒６ａならびに固定軸７を貫通している。ピン孔１４にピン１５を一方側から対向側に向けて差し込むと、ローラーパイプ６が回転不能となる。この状態では、コイルバネ１２に蓄積された弾性復元力によってもローラーパイプ６は回転せず、スクリーン１３がローラーパイプ６の周りに巻き取られることがない。したがって、スクリーン１３を広げた状態に安定に保持することができ、スクリーン１３の取外しが可能となり、しかも容易である。スクリーン１３に汚れや破れなどが生じた場合、スクリーン装置１自体を窓枠開口部などから取り外すことなく、取付状態においてスクリーン１３の取外しを行うことができる。また、ピン１５によってローラーパイプ６は回転不能にされているので、コイルバネ１２には弾性復元力が蓄積されたままであり、解放されることはなく、スクリーン１３の交換後に行う必要があったコイルバネ１２に弾性復元力を蓄積させる危険な作業が解消される。したがって、スクリーン装置１はメンテナンス性に優れたものとなる。
【００３０】
上枠を構成するスライドガイド枠５が窓枠開口部などに露出するのを防止するために、図１に示したように、窓枠開口部などの上縁に上框１６が配設される場合には、ピン孔１４が上框１６の下端縁部によって隠れてしまうことがあるので、その場合には、図３に示したように、一般に断面略コ字型形状を有する上框１６の長さ方向にピン孔１４が向くようにローラーパイプ６を若干回動させると、ピン１５の差込みが容易となる。
【００３１】
図４は、図１に示したスクリーン装置のスクリーン収納時の状態を示した断面図である。
【００３２】
スクリーン装置１では、スライドバー３および取付枠２は、スクリーン１３の固定部１７において、スクリーン１３の端部に配設されたセットテープ、セットプレートなどの固定部材１８が挿入される凹溝１９を有している。凹溝１９は、スライドバー３および取付枠２の長さ方向に延びている。凹溝１９では、固定部材１８の挿入側の両側端縁から凹溝１９の幅方向内側に突出して係止片２０が延設されている。凹溝１９に挿入された固定部材１８は左右両側端縁部において係止片２０によって係止され、スクリーン１３は、スライドバー３、取付枠２にそれぞれ固定される。
【００３３】
同様に、ローラーパイプ６の外筒６ｂにもローラーパイプ６の長さ方向に延びる凹溝２１が２つ形成され、両凹溝２１は固定軸７を中心に点対称となる位置に配置されている。また、両凹溝２１では、開口側の両端縁から内側に外筒６ｂの外周に沿って係止片２２が形成され、スクリーン部材１３の端部に配設され、凹溝２１に挿入された固定部材１８を左右両側端縁部において係止し、スクリーン１３をローラーパイプ６に固定している。
【００３４】
さらに、スクリーン装置１では、図５に示したように、スライドバー３および取付枠２では、下端部において、一方の係止片２０が凹溝１９の端縁側に向かって略コ字型形状に切り欠かれ、切欠部２３が形成されている。切欠部２３にはマイナスドライバーなどの工具の挿入が可能である。このため、切欠部２３から凹溝１９に挿入したマイナスドライバーなどの工具によって、図４に示した固定部材１８を凹溝１９から引き出すことができ、スクリーン１３の取外しがより容易となっている。
【００３５】
また、図１に示したスクリーン装置１は、取付枠２に対向して配置された縦枠２４を備えている。縦枠２４は、窓枠開口部などではサッシの方立で代用することができるが、縦枠２４には、スクリーン装置１を閉状態に保持させるためのストッパー機構が設けられている。ストッパー機構は、上下にスライドするレバー２５と、スライドバー３に設けられた開口部材２６とを有している。開口部材２６は開口２７を備えている。開口２７に対向してレバー２５には横方向に突出するフック２８が設けられている。フック２８はレバー２５と一体となっており、レバー２５のスライドにともなってフック２８も上下に移動する。
【００３６】
スクリーン装置１の閉時にスライドバー３を縦枠２４までスライドさせると、開口部材２６の開口２７にフック２８が入り込み、先端が、開口２７の周縁の開口部材２６に引っ掛かる。この引っ掛かりにより、スライドバー３はコイルバネ１２の弾性復元力に抗して移動が制止され、スクリーン装置１が閉状態に安定に保持される。したがって、スライドバー３は傾倒せず、図２および図３に示したピン１５のピン孔１４への差込みによって回転不能とされたローラーパイプ６は支柱のように機能し、スライドガイド枠５が垂れ下がるのが防止され、スクリーン１３の交換をより一層容易にする。
【００３７】
また、縦枠２４には、上記ストッパー機構に替え、戸当り面にマグネットを縦枠２４の長さ方向に配設するとともに、図４に示したように、スライドバー３のスライド方向の先端部にマグネット２９を内蔵したキャップ部材３０を嵌着し、両マグネットが互いに磁力により引き合うようにすることで、スライドバー３をコイルバネ１２の弾性復元力に抗して移動を制止させ、スクリーン装置１を閉状態に安定に保持することができる。したがって、この場合にも、スライドバー３は傾倒せず、図２および図３に示したピン１５のピン孔１４への差込みによって回転不能とされたローラーパイプ６は支柱のように機能し、スライドガイド枠５が垂れ下がるのが防止され、スクリーン１３の交換をより一層容易にする。
【００３８】
また、スクリーン装置１では、図４に示したように、スライドバー３および取付枠２が同一形状を有し、ローラーパイプ６を中心として平面視点対称の配置となるようにスライドバー３および取付枠２が配置されている。このため、スクリーン装置１は、機能および性能が全く同じな左右勝手を共用したスクリーン装置となっており、たとえば、内観色と外観色が異なる場合にも一つの製品で対応可能である。したがって、スクリーン装置１の品種を少なくすることができ、製造、在庫管理などが容易となっている。この場合、取付枠２はスライドバーとすることができ、両開き式のスクリーン装置１とすることができる。
【００３９】
また、スクリーン装置１では、スライドバー３のスライドをガイドするとともに、下枠を構成するスライドガイド枠５の展出および収納をガイドするために、窓枠開口部などの下縁にボトムレール３１が配設されている。スライドバー３の下端部に配設されたガイドブロック３２がボトムレール３１に沿って移動し、スライドバー３のスライドがボトムレール３１によりガイドされる。
【００４０】
図５に示したように、ボトムレール３１は、上端部に左右両側方に突出する突起３３を有している。このようなボトムレール３１の外形に対応してガイドブロック３２の下端部は断面略コ字型形状に切り欠かれ、切欠部３４が形成されている。図２に示したように、スライドガイド枠５を形成する剛性ユニット４には、左右両側壁部９の下端部内側に溝１０が形成され、溝１０は、ボトムレール３１の上端部の突起３３に係合可能とされている。このため、風圧、接触などにより横方向からスライドガイド枠５に力が加わると、突起３３が溝１０に係合し、スライドガイド枠５が浮き上がったり、ボトムレール３１から外れたりするのが防止され、スクリーン装置１のスムーズな開閉操作を実現する。
【００４１】
ガイドブロック３２の下端部は、ボトムレール３１の上端部に接触するため、スクリーン装置１の開閉操作にともない次第に磨耗し、交換が必要とされる。そこで、スクリーン装置１では、ガイドブロック３２を部品化し、ガイドブロック３２単品の交換を可能にしている。
【００４２】
スクリーン装置１では、図１に示したように、スライドガイド枠５のスムーズで安定した展出および収納を可能とするために、上下一対のスライドガイド枠５間において端部を紐などの張力部材３５で結んでいる。張力部材３５は、８の字状のループを形成し、スライドバー３、取付枠２のそれぞれに内蔵されている。張力部材３５を折り返す折返ブロック３６は、スライドバー３の上下両端部に配設されている。ガイドブロック３２は、スライドバー３の下端部に配設された折返ブロック３６に嵌着脱自在に配設されている。
【００４３】
すなわち、図６に示したように、ガイドブロック３２は、張力部材３５を折り返し、８の字状のループに形成するための折返ブロック３６から独立させ、部品化し、折返ブロック３６の下方から取付けおよび取外し可能とされている。折返ブロック３６には、下方に開口した中空状の、ガイドブロック３２の収納部３７が形成され、収納部３７の内側両端部に略カンナ台形状の溝が形成されている。この溝にガイドブロック３２が圧入、係止されてガイドブロック３２が折返ブロック３６に固定される。図５図中の符号３８は、折返ブロック３６の下端部両側端部の縁片部である。
【００４４】
このように、ガイドブロック３２が、一対のスライドガイド枠５間の端部を結ぶ８の字状のループを形成する張力部材３５を折り返し、スライドバー３の下端部に配設された折返ブロック３６に嵌着脱自在に配設されているので、張力部材３５を取り外したりすることなく、磨耗が大きいガイドブロック３２のみを容易に取り外し、交換することができ、メンテナンス性がより向上し、部品コストの低減を図ることができる。ガイドブロック３２は、下端部の切欠部３４ばかりでなく、側面は上方から下方に向かって外側に湾曲する湾曲面３９とされ、湾曲面３９は、スライドガイド枠５を一方向に屈曲させる倣い面であり、スライドガイド枠５に接触するので、湾曲面３９の磨耗も起こりやすく、したがって、ガイドブロック３２のみを交換可能としたことはこのことからも有効である。
【００４５】
なお、上記の通り、スクリーン装置１では、図１に示した縦枠２４には、戸当り面にマグネットを縦枠２４の長さ方向に配設することができ、この場合、図４に示したように、スライドバー３のスライド方向の先端部にマグネット２９を内蔵したキャップ部材３０を嵌着し、両マグネットが互いに磁力により引き合うようにすることで、スライドバー３をコイルバネ１２の弾性復元力に抗して移動を制止させ、スクリーン装置１を閉状態に安定に保持することができる。
【００４６】
この場合、さらに図７に示したように、縦枠２４の戸当り面４０は一平面から形成することができ、窓枠開口部などからの突出を抑えることができる。マグネット４１は、戸当り面４０に隣接配置させて縦枠２４の内部に配設される。断面略Ｌ字型形状の２つの取付片４２を縦枠２４において戸当り面４０の裏面から内側に立設し、対向配置し、取付片４２間にマグネット４１を保持させる。縦枠２４の戸当り面４０が窓枠開口部などに突出することがなく、見栄えが良好となり、突出せずとも、マグネット２９、４１は互いに磁力により引き合うので、スクリーン１３を広げた状態に保持することができ、また、ボトムレール３１を縦枠２４の戸当り面４０の際にまで隙間なく施工することができ、スライドバー３のスライドがより安定化する。
【図面の簡単な説明】
【００４７】
【図１】本発明のスクリーン装置の一実施形態を示した一部切欠正面図である。
【図２】図１に示したスクリーン装置のローラーパイプの上端部周辺を示した要部断面図である。
【図３】図１に示したスクリーン装置のローラーパイプの上端部周辺を示した要部斜視図である。
【図４】図１に示したスクリーン装置のスクリーン収納時の状態を示した断面図である。
【図５】図１に示したスクリーン装置のスライドバーおよび取付枠の下端部周辺を示した要部側面図である。
【図６】図１に示したスクリーン装置における折返ブロックとガイドブロックとの関係を示した要部分解断面図である。
【図７】図１に示したスクリーン装置における縦枠のバリエーションをその周辺とともに示した要部断面図である。
【符号の説明】
【００４８】
１  スクリーン装置
２  取付枠
３  スライドバー
５  スライドガイド枠
６  ローラーパイプ
７  固定軸
１２  コイルバネ
１３  スクリーン
１４  ピン孔
１５  ピン
１７  固定部
１８  固定部材
１９  凹溝
２０  係止片
２４  縦枠
２９  マグネット
３１  ボトムレール
３２  ガイドブロック
３５  張力部材
３６  折返ブロック
４０  戸当り面
４１  マグネット
【図１】
0004996367.tif 000002
【図２】
0004996367.tif 000003
【図３】
0004996367.tif 000004
【図４】
0004996367.tif 000005
【図５】
0004996367.tif 000006
【図６】
0004996367.tif 000007
【図７】
0004996367.tif 000008